(57)【要約】ロッキング解除構造を改善したワイヤ自動巻取装置のロッキングモジュールに関し、本発明の装置は、結合突起が形成された第１ケースと、この結合突起に嵌め合わされて時計回り・反時計回りに回転する回転片と、回転片と結合され、ボタンの操作によって第１方向にスライドして回転片を回転させるボタン部材と、回転片と結合されて回転片の回転によって第２方向にスライドするストッパ部材と、ボタン部材やストッパ部材を押し出して復帰させる弾性バネと、第１ケースと締結されて収容空間を形成する第２ケースと、で構成される。ストッパとボタンとの間の結合にカムやピニオン及びこれらの組み合わせを利用して作動距離を自由に設計でき、外れることを防止して誤動作を抑制でき、ワイヤを引き出す際にボタンの動きや音を最小化できる。また、ピニオンの形状を異ならせて解除ストロークとボタンストロークを異ならせることもでき、スリムなボタン構造に具現できる。
2018517379.tif 000002
【特許請求の範囲】
【請求項１】
結合突起が形成された第１ケースと、
前記第１ケースの結合突起に嵌め合わされ、時計回りまたは反時計回りに回転される回転片と、
前記回転片と結合され、ボタンの操作によって第１方向にスライドされることで前記回転片を回転させるボタン部材と、
前記回転片と結合され、前記回転片の回転によって第２方向にスライドされるストッパ部材と、
前記ボタン部材及び前記ストッパ部材のうちのいずれか一つを反対側に押し出して復帰させる弾性バネと、
前記第１ケースと締結されて内部に部品収容空間を形成する第２ケースと、を含むワイヤ自動巻取装置のロッキングモジュール。
【請求項２】
結合突起が形成された第１ケースと、
前記第１ケースの結合突起に嵌め合わされるピニオンと、
一端に歯型が形成されて前記ピニオンと結合されるラックとして作動することで、ボタンの操作によって第１方向にスライドされて前記ピニオンを回転させるボタン部材と、
一端に歯型が形成されて前記ピニオンと結合されるラックとして作動することで、前記ピニオンの回転によって第２方向にスライドされるストッパ部材と、
前記ボタン部材及び前記ストッパ部材のうちいずれか一つを反対側に押し出して復帰させる弾性バネと、
前記第１ケースと締結されて内部に部品収容空間を形成する第２ケースと、を含むワイヤ自動巻取装置のロッキングモジュール。
【請求項３】
結合突起が形成された第１ケースと、
前記第１ケースの結合突起に嵌め合わされるカムと、
前記カムと結合されてボタンの操作によって第１方向にスライドされることで前記カムを回転させるボタン部材と、
前記カムと結合されて前記カムの回転によって第２方向にスライドされるストッパ部材と、
前記ボタン部材及び前記ストッパ部材のうちのいずれか一つを反対側に押し出して復帰させる弾性バネと、
前記第１ケースと締結されて内部に部品収容空間を形成する第２ケースと、を含むワイヤ自動巻取装置のロッキングモジュール。
【請求項４】
結合突起が形成された第１ケースと、
前記第１ケースの結合突起に嵌め合わされ、カムとピニオンが形成された回転片と、
前記回転片のカムまたはピニオンに結合されてボタンの操作によって第１方向にスライドされながら前記回転片を回転させるボタン部材と、
前記回転片のピニオンまたはカムと結合されて回転片の回転によって第２方向にスライドされるストッパ部材と、
前記ボタン部材及び前記ストッパ部材のうちのいずれか一つを反対側に押し出して復帰させる弾性バネと、
前記第１ケースと締結されて内部に部品収容空間を形成する第２ケースと、を含むワイヤ自動巻取装置のロッキングモジュール。
【請求項５】
前記弾性バネは、前記ボタン部材を反対側に押して復帰させる第１弾性バネと、前記ストッパ部材を反対側に押して復帰させる第２弾性バネと、で構成されることを特徴とする請求項１乃至請求項４のうちいずれか一項に記載のワイヤ自動巻取装置のロッキングモジュール。
【請求項６】
前記第１方向と前記第２方向は互いに直交する方向であることを特徴とする請求項１乃至請求項４のうちいずれか一項に記載のワイヤ自動巻取装置のロッキングモジュール。
【請求項７】
前記第１ケース及び前記第２ケースのうちのいずれか一つには、前記ボタン部材を収容するためのガイド穴と、前記ストッパ部材を収容するためのガイド穴とが形成されることで、離脱を防止し得るレール結合構造を有することを特徴とする請求項１乃至請求項４のうちいずれか一項に記載のワイヤ自動巻取装置のロッキングモジュール。
【請求項８】
ハウジングと、
前記ハウジングの一側に収容されており、ワイヤを引っ張るとリトラクタブル回転板に巻かれているワイヤを繰り出し、ワイヤを離すと自動的にロッキングされて現在の長さを維持し、ロッキングが解除されると自動的にワイヤを巻き取る自動巻線モジュールと、
前記自動巻線モジュールと共に回転されるロッキングプレートと、
前記ロッキングプレートと連動されて前記自動巻線モジュールの一方向への回転を許容して、他方向への回転をロックし、解除ボタンが入力されると、他の方向への回転を許容するロッキングモジュールと、を含み、
前記ロッキングモジュールは、
結合突起が形成された第１ケースと、
前記第１ケースの結合突起に嵌め合わされて時計回りまたは反時計回りに回転される回転片と、
前記回転片と結合されてボタンの操作によって第１方向にスライドされることで前記回転片を回転させるボタン部材と、
前記回転片と結合されて回転片の回転によって第２方向にスライドされるストッパ部材と、
前記ボタン部材及び前記ストッパ部材のうちのいずれか一つを反対方向に押し出して復帰させる弾性バネと、
前記第１ケースと締結されて内部に部品収容空間を形成する第２ケースと、を含むことを特徴とするワイヤ自動巻取装置のロッキングモジュール。
【発明の詳細な説明】
【技術分野】
【０００１】
本発明は、イヤホンなどにおいて、使用中にはワイヤを繰り出しておき、使用後にはロッキングを解除してワイヤを自動的に巻き取ることで携帯に便利なようにするワイヤ自動巻取装置に関し、より詳しくは、ワイヤのロッキング解除構造を改善することで性能を改善した、ワイヤ自動巻取装置のロッキングモジュール（locking module）に関する。
【背景技術】
【０００２】
一般に、携帯用メディア機器を利用して動画を視聴するか音楽を聞く際には、場所にとらわれないようにイヤホンなどを連結して使用する。イヤホンは、通常音楽が出力されるイヤホン出力部と、イヤホン出力部と機器を連結し機器から発生する信号出力をイヤホン出力部に供給して音響を発生するイヤホンケーブル（ワイヤ）とで構成されている。
【０００３】
しかし、イヤホンケーブルは、ユーザがイヤホンを使用するのに不便がないように、長さに余分があるように製作され、そのため、ユーザがイヤホンを使用しない場合、イヤホンケーブルが絡み合ったり、もつれたりするなどの不便があった。このような不便を解決するために、補助具に巻き取られているイヤホンケーブルを、所望の長さだけ引っ張るだけで、イヤホンケーブルが所望の長さだけ補助具から引き延ばされ、スイッチを押すだけで、引き延ばされたイヤホンケーブルが補助具に巻き取られるワイヤ自動巻取装置が開発されて使用されている。
【０００４】
特許文献１に公告された、サイドプッシュキーによってノイズを低減させた自動巻線巻取モジュールは、バー（Ｂａｒ）状に形成されて一端が制動鋸歯と噛み合って一側面に傾斜面が備えられたモジュールキーと、中空の立体形状であってモジュールキーが挿入され、モジュールキーが出入するように一側面が開放されているモジュールキーブラケットと、モジュールキーと直交方向に配置されるとともに、モジュールキーと向き合ういずれか一面にてモジュールキーの直交方向に延長された拡張片が延長され、拡張片の一側面にはモジュールキーの傾斜面と相接する傾斜面が備えられたサイドプッシュキーとを備え、傾斜面の接触によりロッキング及びロッキング解除動作が行われるようになっている。
【０００５】
ところで、このように傾斜面構造の接触によるロッキング及びロッキング解除動作が行われるワイヤ自動巻取装置の構造では、ミスマッチングによる誤動作などが発生する問題点がある。
【先行技術文献】
【特許文献】
【０００６】
【特許文献１】大韓民国登録特許公報  第１０−１４０１９０６号（ＫＲ１０−１４０１９０６Ｂ１）
【発明の概要】
【発明が解決しようとする課題】
【０００７】
本発明は、前記のような問題点を解決するために提案されたものであって、本発明の目的は、ラックアンドピニオンを利用するが、ピニオンの歯型の形によりストッパとボタンとの間の移動距離を調節し得るワイヤ自動巻取装置のロッキングモジュールを提供することである。
【０００８】
本発明の他の目的は、ストッパとボタン間の結合にカムやピニオン及びこれらの組み合わせを利用して自由に設計し得るワイヤ自動巻取装置のロッキングモジュールを提供することである。
【課題を解決するための手段】
【０００９】
前記のような目的を達成するために、本発明の装置は、(i)結合突起が形成された第１ケースと、(ii)前記第１ケースの結合突起に嵌め合わされて時計回り・反時計回りに回転される回転片と、(iii)前記回転片と結合されてボタンの操作によって第１方向にスライドされることで前記回転片を回転させるボタン部材と、(iv)前記回転片と結合されて回転片の回転によって第２方向にスライドされるストッパ部材と、(v)前記ボタン部材及び前記ストッパ部材のうちのいずれか一つを反対側に押し出して復帰させる弾性バネと、(vi)前記第１ケースと締結されて内部に部品収容空間を形成する第２ケースと、を含むことを特徴とする。
【００１０】
前記のような目的を達成するために、本発明の第１実施例は、(i)結合突起が形成された第１ケースと、(ii)前記第１ケースの結合突起に嵌め合わされるピニオンと、(iii)一端に歯型が形成されて前記ピニオンと結合されるラックとして作動することで、ボタンの操作によって第１方向にスライドされて前記ピニオンを回転させるボタン部材と、(iv)一端に歯型が形成されて前記ピニオンと結合されるラックとして作動することで、前記ピニオンの回転によって第２方向にスライドされるストッパ部材と、(v)前記ボタン部材及び前記ストッパ部材のうちのいずれか一つを反対側に押し出して復帰させる弾性バネと、(vi)前記第１ケースと締結されて内部に部品収容空間を形成する第２ケースと、を含む。
【００１１】
前記のような目的を達成するために、本発明の第２実施例は、(i)結合突起が形成された第１ケースと、(ii)前記第１ケースの結合突起に嵌め合わされるカムと、(iii)前記カムと結合されて、ボタンの操作によって第１方向にスライドされることで、前記カムを回転させるボタン部材と、(iv)前記カムと結合されてこのカムの回転によって第２方向にスライドされるストッパ部材と、(v)前記ボタン部材及び前記ストッパ部材のうちのいずれか一つを反対側に押し出して復帰させる弾性バネと、(vi)前記第１ケースと締結されて内部に部品収容空間を形成する第２ケースと、を含む。
【００１２】
前記のような目的を達成するために、本発明の第３実施例は、(i)結合突起が形成された第１ケースと、(ii)前記第１ケースの結合突起に嵌め合わされ、カムとピニオンが形成された回転片と、(iii)前記回転片のカムやピニオンに結合されてボタンの操作によって第１方向にスライドされることで、前記回転片を回転させるボタン部材と、(iv)前記回転片のピニオンやカムと結合されて、前期回転片の回転によって第２方向にスライドされるストッパ部材と、(v)前記ボタン部材及び前記ストッパ部材のうちのいずれか一つを反対側に押し出して復帰させる弾性バネと、(vi)前記第１ケースと締結されて内部に部品収容空間を形成する第２ケースと、を含む。
【００１３】
前記弾性バネは、前記ボタン部材を反対側に押し出して復帰させる第１弾性バネと、前記ストッパ部材を反対側に押し出して復帰させる第２弾性バネと、で構成される。
【００１４】
前記第１方向と前記第２方向は互いに直交する方向であり、前記第１ケースや前記第２ケースのうちいずれか一つは、前記ボタン部材を収容するためのガイド穴と前記ストッパ部材を収容するためのガイド穴が形成されて離脱を防止し得るレール結合構造を有する。
【発明の効果】
【００１５】
本発明によると、ストッパとボタンとの間の結合にカムやピニオン及びこれらの組み合わせを利用して作動距離を自由に設計することができ、外れることを防止して誤動作を抑制することができ、ワイヤを引き出す際にボタンの動きや音を最小化することができる効果がある。
【００１６】
また、本発明によると、ピニオンの形状を異なるようにして解除ストロークとボタンストロークを異なるようにすることもでき、スリムなボタン構造に具現することができる長所がある。
【図面の簡単な説明】
【００１７】
【図１】本発明が適用されたワイヤ自動巻取装置の全体の構成を示す概略図である。
【図２】本発明の第１実施例によるワイヤ自動巻取装置のロッキングモジュールを示す図である。
【図３】図２に示したロッキングモジュールの部品分解斜視図である。
【図４】本発明の第１実施例によるロッキングモジュールの作動状態図である。
【図５】本発明の第１実施例によるバネの個数の変形例を示す概略図である。
【図６】本発明の第１実施例によるピニオンギヤの歯型の変形例を示す概略図である。
【図７】本発明の第１実施例によるラックアンドピニオンのレール結合構造を示す概略図である。
【図８】本発明の第２実施例によるワイヤ自動巻取装置のロッキングモジュールを示す図である。
【図９】図８に示したロッキングモジュールの部品分解斜視図である。
【図１０】本発明の第３実施例によるワイヤ自動巻取装置のロッキングモジュールを示す図である。
【図１１】図１０に示したロッキングモジュールの部品分解斜視図である。
【発明を実施するための形態】
【００１８】
本発明と本発明の実施によって達成される技術的課題は、以下で説明する本発明の好ましい実施例によってより明確になるはずである。以下の実施例は、単に本発明を説明するために例示されたものに過ぎず、本発明の範囲を制限するためのものではない。
【００１９】
図１は、本発明が適用されたワイヤ自動巻取装置の全体の構成を示す概略図である。
【００２０】
本発明が適用されたワイヤ自動巻取装置１０は、図１に示したように、(i)ハウジング１２と、(ii)ハウジング１２の一側に収容され、ワイヤを引っ張ると、リトラクタブル回転板に巻かれているワイヤを繰り出し、ワイヤを引っ張るのを止めると自動的にロッキングされて現在の長さを維持し、ロッキングが解除されると自動的にワイヤを巻き取る自動巻線モジュール１４と、(iii)自動巻線モジュール１４と共に回転されるロッキングプレート１６と、(iv)ロッキングプレート１６と連動されて自動巻線モジュール１４の一方向への回転を許容し、他方向への回転をロックし、解除ボタンが押し下げられると他の方向への回転を許容するロッキングモジュール１８と、で構成される。
【００２１】
図１を参照すると、自動巻線モジュール１２はワイヤが巻かれているリトラクタブル（retractable）回転板（図示せず）と、ワイヤが巻かれる方向へとリトラクタブル回転板に回転力を印加する弾性部材（図示せず）を含む。リトラクタブル回転板と同一軸上に配置されて共に回転されるロッキングプレート１６には、一方向に回転を許容し、他方向には回転を抑制する複数個の制動歯１６ａが形成されているが、制動鋸歯１６ａの傾斜面を伝ってロッキングモジュールのストッパ１８ａが押し出されることで、一方向への回転は許容するが、他の方向に回転する際には、制動鋸歯１６ａの係止段部がロッキングモジュールのストッパ１８ａに引っ掛かることで他の方向への回転が防止されるようになっている。
【００２２】
このような構造のワイヤ自動巻取装置１０は、ユーザがワイヤを引っ張ると、制動鋸歯１６ａの傾斜面に沿ってロッキングモジュールのストッパ１８ａが押し出されつつ、リトラクタブル回転板が一方向へと回転することで、巻かれているワイヤを繰り出すのであり、ユーザがワイヤを離すと、リトラクタブル回転板の復元力によってロッキングプレート１６が反対方向へと回転し、制動鋸歯１６ａの係止段部がロッキングモジュールのストッパ１８ａに引っ掛かることでワイヤが現在の長さをそのまま維持するようになっている。
【００２３】
イヤホンを使い終えてユーザがロッキングモジュール１８の解除ボタンを押すと、本発明によるロッキングモジュール１８の作動によって、係止段部に引っ掛かっていたストッパ１８ａが後方へと押し出されることでロッキングが解除され、リトラクタブル回転板が、復元力によって他の方向へと回転されることでワイヤを自動的に巻き取るようになる。
【００２４】
このようなワイヤ自動巻取装置の動作はよく知られているため、これ以上の説明は省略する。
【００２５】
図２は本発明の第１実施例によるワイヤ自動巻取装置のロッキングモジュールを示す図であり、図３は図２に示したロッキングモジュールの部品分解斜視図であり、図４は本発明の第１実施例によるロッキングモジュールの作動状態図である。図５は本発明の第１実施例によるバネの個数の変形例を示す概略図であり、図６は本発明の第１実施例によるピニオンギヤの歯型の変形例を示す概略図であり、図７は本発明の第１実施例によるラックアンドピニオンのレール結合構造を示す概略図である。
【００２６】
本発明の第１実施例によるロッキングモジュール１００は、図２及び図３に示したように、ボトムケース１１０、ピニオン１２０、ボタンラック１３０、ストッパラック１４０、弾性バネ１５２，１５４、及びトップケース１６０で構成される。
【００２７】
図２及び図３を参照すると、ボトムケース１１０にはピニオンの回転軸の機能を果たす結合突起１１２、ボタンラック１４０を収容するためのガイド穴１１４、及びストッパラックを収容するためのガイド穴１１６が形成されている。トップケース１６０は、ボトムケース１１０と締結されて、内部に部品収容空間を形成する。
【００２８】
ピニオン１２０は、円形の周面に歯型が形成された、部分片であって、ボトムケースの結合突起１１２に嵌め合わされており、一側はボタンラック１３０と結合され、他側はストッパラック１４０と結合されて、ボタンラック１３０の作動をストッパラック１４０に伝達する。このようなピニオン１２０は、図６に示したように歯形を異ならせて、ボタンラック１３０の移動距離とストッパラック１４０の移動距離とについて互いに異なるようにしてもよい。図６を参照すると、（ａ）は、ピニオン１２０の歯型１２２が均一であって、ボタンラック１３０とストッパラック１４０とが同じ移動距離を有する場合であり、（ｂ）は、ピニオン１２０の歯型が、ボタンラックに接触する部分の歯型１２４と、ストッパラックに接触する部分の歯型１２２との間で互いに異なって、相異なる移動距離を有する場合である。図６の（ｂ）を参照すると、変形されたピニオン１２０'は、ボタンラック１３０と結合される部分の歯型１２４と、ストッパラック１４０と結合される部分の歯型１２２が異なるために、ボタンラック１３０の移動距離と、ストッパラック１４０の移動距離とが異なるようになることが分かる。
【００２９】
ボタンラック１３０は、バー（bar）状であって、一端に歯型１３２が形成されてピニオン１２０と結合されるラックとして作動することで、ボタンの操作によって第１方向（上下方向）にスライドされてピニオン１２０を回転させるのであり、ストッパラック１４０は、一端に歯型１４２が形成されてピニオン１２０と結合されるラックとして作動することで、ピニオン１２０の回転によって第２方向（左右方向）にスライドされて、制動鋸歯１６ａの係止段部に引っ掛かって自動巻線モジュール１４の回転を制御する。
【００３０】
また、ボタンラック１３０やストッパラック１４０には、復元力を提供するための弾性バネ１５２、１５４が結合されており、ボタンラック１３０を押し下げる動作の後、ボタンから手を離すと元の位置に復元されるようになっている。このような弾性バネは、図５に示したように、一つ乃至３つまで設置することで復元力を調節できるようになっている。
【００３１】
そして、ボタンラック１３０やストッパラック１４０は、図７に示したように、ボトムケースのガイド穴１１４、１１６によるレール結合構造を有することで、離脱を防止し得るようになっている。
【００３２】
このように構成される本発明の第１実施例によるロッキングモジュール１００は、ボタンが押し下げられていない状態であると、図４の（ａ）のようにボタンラック１３０とストッパラック１４０とが、バネ１５２、１５４の弾性力によって突き出されている状態になっており、そのためストッパラック１４０のヘッド部が制動鋸歯１６ａの係止段部に引っ掛かって、自動巻線モジュール１４の回転を抑制するロッキング状態（初期状態）を維持する。
【００３３】
ロッキングを解除するためにユーザがボタンを押し下げると、図４の（ｂ）のように、ボタンラック１３０が内側に移動することでピニオン１２０を時計回りに回転させるようになり、それによって、ストッパラック１４０が、ケースの内側に移動することで自動巻線モジュール１４のロッキングを解除するようになるのであるが、ロッキングの解除により、リトラクタブル回転板が、復元力によって他方向へと回転することでワイヤを自動的に巻き取るようになる。
【００３４】
次に、ユーザがボタンの押し下げを止めると、弾性バネ１５２、１５４の復元力によって、ボタンラック１３０が外側に移動するようになり、それによってピニオン１２０が、反時計回りに回転することで、ストッパラック１４０を更に外側に押すことにより、ストッパラック１４０のヘッド部が、制動鋸歯１６ａの係止段部に引っ掛かって自動巻線モジュール１４の回転をロックする。
【００３５】
図８は、本発明の第２実施例によるロッキングモジュールを示す図であり、図９は、図８に示したロッキングモジュールの部品分解斜視図である。
【００３６】
本発明の第２実施例によるロッキングモジュール２００は、図８及び図９に示したように、ボトムケース２１０、カム２２０、ボタン部材２３０、ストッパ部材２４０、弾性バネ２５２、２５４、及びトップケース２６０で構成される。
【００３７】
図８及び図９を参照すると、ボトムケース２１０にはカム２２０の回転軸の機能を果たす結合突起２１２、ボタン部材２３０を収容するためのガイド穴２１４、及びストッパ部材２４０を収容するためのガイド穴２１６が形成されている。トップケース２６０は、ボトムケース２１０と締結されて、内部に部品収容空間を形成する。
【００３８】
カム２２０は、歯型のない部分回転片であって、ボトムケースの結合突起２１２に嵌め合わされており、一側はボタン部材２３０と結合され、他側はストッパ部材２４０と結合されて、ボタン部材２３０の動きをストッパ部材２４０に伝達する。
【００３９】
ボタン部材２３０は、バー状であって、一端にカム２２０と結合するための結合部が形成されており、ボタンの操作によって第１方向（上下方向）にスライドされてカム２２０を回転させるのであり、ストッパ部材２４０は、一端に結合段差が形成されており、カム２２０の回転によって第２方向（左右方向）にスライドされて、制動鋸歯１６ａの係止段部に引っ掛かることで自動巻線モジュール１４の回転を制御する。
【００４０】
また、ボタン部材２３０やストッパ部材２４０には、復元力を提供するための弾性バネ２５２、２５４が結合されており、ボタン部材２４０を押し下げる動作の後、ボタンから手を離すと元の位置に復元されるようになっている。このような弾性バネは、図５に示したように、一つ乃至３つまで設置されて復元力を調節できるようになっている。
【００４１】
そして、ボタン部材２３０やストッパ部材２４０は、図７に示したように、ボトムケースのガイド穴２１４、２１６によるレール結合構造を有して、離脱を防止し得るようになっている。
【００４２】
このように構成される本発明の第２実施例によるロッキングモジュール２００であると、ボタンの押し下げを止めた状態にて、ボタン部材２３０とストッパ部材２４０とは、バネ２５２、２５４の弾性力によって突き出されている状態になっており、そのためストッパラック２４０のヘッド部が、制動鋸歯１６ａの係止段部に引っ掛かることで、自動巻線モジュール１４の回転を抑制するロッキング状態を維持する。
【００４３】
ロッキングを解除するためにユーザがボタンを押し下げると、ボタン部材２３０が、内側へと移動することでカム２２０を時計回りに回転させるようになり、それによってストッパ部材２４０が、ケースの内側に移動することで自動巻線モジュール１４のロッキングを解除するようになるのであるが、ロッキング解除により、リトラクタブル回転板が、復元力によって他の方向へと回転されることでワイヤを自動的に巻き取るようになる。
【００４４】
次に、ユーザがボタンの押し下げを止めると、弾性バネ２５２、２５４の復元力によって、ボタン部材２３０が外側に移動するようになり、それによってカム２２０が反時計回りに回転することで、ストッパ部材２４０を更に外側に押すことにより、ストッパ部材２４０のヘッド部が制動鋸歯１６ａの係止段部に引っ掛かって自動巻線モジュール１４の回転をロックする。
【００４５】
図１０は、本発明の第３実施例によるロッキングモジュールを示す図であり、図１１は、図１０に示したロッキングモジュールの部品分解斜視図である。
【００４６】
本発明の第３実施例によるロッキングモジュール３００は、図１０及び図１１に示したように、ボトムケース３１０、回転片３２０、ボタン部材３３０、ストッパ部材３４０、弾性バネ３５２、３５４、及びトップケース３６０で構成される。
【００４７】
図１０及び図１１を参照すると、ボトムケース３１０には、回転片３２０の回転軸の機能を果たす結合突起３１２、ボタン部材３３０を収容するためのガイド穴３１４、及びストッパ部材３４０を収容するためのガイド穴３１６が形成されている。トップケース３６０は、ボトムケース３１０と締結されて、内部に部品主要空間を形成する。
【００４８】
回転片３２０は、歯型のないカム部３２２と、歯型が形成されているピニオン部３２４とで形成され、ボトムケースの結合突起３１２に嵌め合わされており、カム部３２２はボタン部材３３０と結合され、ピニオン部３２４はストッパ部材３４０と結合されることで、ボタン部材３３０の動きをストッパラック３４０に伝達する。本発明の実施例では、カム部３２２がボタン部材３３０と結合され、ピニオン部３２４がストッパ部材３４０と結合されると説明したが、逆に、カム部がストッパ部材３４０と結合され、ピニオン部がボタン部材３３０と結合される構造も可能である。
【００４９】
ボタン部材３３０は、バー状であって、一端にカム部３２２と結合するための結合部が形成されており、ボタンの操作によって第１方向（上下方向）にスライドされて回転片３２０を回転させるのであり、ストッパ部材３４０は、一端に歯型が形成されているラックとして作動することで、ピニオン部３２４の回転によって第２方向（左右方向）にスライドされて、制動鋸歯１６ａの係止段部に引っ掛かって自動巻線モジュール１４の回転を制御する。
【００５０】
また、ボタン部材３３０やストッパ部材３４０には、復元力を提供するための弾性バネ３５２、３５４が結合されており、ボタン部材３４０を押し下げる動作の後、ボタンから手を離すと元の位置に復元されるようになっている。
【００５１】
このように構成される本発明の第３実施例によるロッキングモジュール３００であると、ボタンの押し下げを止めた状態にて、ボタン部材３３０とストッパ部材３４０とは、バネ３５２、３５４の弾性力によって突き出されている状態になっており、そのためストッパ部材３４０のヘッド部が、制動鋸歯１６ａの係止段部に引っ掛かって自動巻線モジュール１４の回転を抑制するロッキング状態を維持する。
【００５２】
ロッキングを解除するためにユーザがボタンを押し下げると、ボタン部材３３０が内側へと移動することで回転片３２０を時計回りに回転させるようになり、それによってストッパ部材３４０が、ケースの内側に移動することで自動巻線モジュール１４のロッキングを解除するようになるのであるが、ロッキングの解除により、リトラクタブル回転板が、復元力によって回転されることでワイヤを自動的に巻き取るようになる。
【００５３】
次に、ユーザがボタンの押し下げを止めると、弾性バネ３５２の復元力によってボタン部材３３０が外側へと移動するようになり、それによって回転片３２０が反時計回りに回転することでストッパ部材３４０を更に外側に押すことにより、ストッパ部材３４０のヘッド部が、制動鋸歯１６ａの係止段部に引っ掛かって自動巻線モジュール１４の回転をロックする。
【００５４】
これまで本発明を図面に示した一実施例を参照して説明したが、本技術分野の通常の知識を有する者であれば、これから多様な変形及び均等な他の実施例が可能であることを理解できるはずである。
【図１】
2018517379.tif 000003
【図２】
2018517379.tif 000004
【図３】
2018517379.tif 000005
【図４】
2018517379.tif 000006
【図５】
2018517379.tif 000007
【図６】
2018517379.tif 000008
【図７】
2018517379.tif 000009
【図８】
2018517379.tif 000010
【図９】
2018517379.tif 000011
【図１０】
2018517379.tif 000012
【図１１】
2018517379.tif 000013
【国際調査報告】
2018517379.tif 000014
2018517379.tif 000015
2018517379.tif 000016
2018517379.tif 000017